【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】
記録材搬送方向に対して直交する方向に細長い基板と、前記基板上にその長手方向に沿って設けられている通電発熱抵抗層と、を有する加熱用ヒータと、内面に前記加熱用ヒータが接触するフィルムと、前記フィルムを介して前記加熱用ヒータと共にニップ部を形成する加圧ローラと、を有し、前記ニップ部で画像を担持する記録材を挟持搬送しつつ加熱する像加熱装置において、
前記加熱用ヒータは、第１の通電発熱抵抗層と、前記第１の通電発熱抵抗層よりも記録材搬送方向下流側に設けられた第２の通電発熱抵抗層と、を有し、前記第２の通電発熱抵抗層は前記第１の通電発熱抵抗層より前記長手方向に長く、前記第２の通電発熱抵抗層は長手方向両端部の単位長さ辺りの抵抗値が中央部より高くなっており、複数枚の記録材を連続して加熱する時、前記第１の通電発熱抵抗層に対する前記第２の通電発熱抵抗層の通電比率が徐々に下がるように設定されていることを特徴とする像加熱装置。
【請求項２】
前記装置は更に、記録材の種類に応じて前記通電比率が設定されていることを特徴とする請求項１に記載の像加熱装置。
【請求項３】
前記装置は更に、記録材のサイズに応じて前記通電比率が設定されていることを特徴とする請求項１に記載の像加熱装置。
【手続補正２】
【補正対象書類名】明細書
【補正対象項目名】００２１
【補正方法】変更
【補正の内容】
【００２１】
【課題を解決するための手段】
本発明は下記の構成を特徴とする像加熱装置である。
【手続補正３】
【補正対象書類名】明細書
【補正対象項目名】００２２
【補正方法】変更
【補正の内容】
【００２２】
（１）記録材搬送方向に対して直交する方向に細長い基板と、前記基板上にその長手方向に沿って設けられている通電発熱抵抗層と、を有する加熱用ヒータと、内面に前記加熱用ヒータが接触するフィルムと、前記フィルムを介して前記加熱用ヒータと共にニップ部を形成する加圧ローラと、を有し、前記ニップ部で画像を担持する記録材を挟持搬送しつつ加熱する像加熱装置において、
前記加熱用ヒータは、第１の通電発熱抵抗層と、前記第１の通電発熱抵抗層よりも記録材搬送方向下流側に設けられた第２の通電発熱抵抗層と、を有し、前記第２の通電発熱抵抗層は前記第１の通電発熱抵抗層より前記長手方向に長く、前記第２の通電発熱抵抗層は長手方向両端部の単位長さ辺りの抵抗値が中央部より高くなっており、複数枚の記録材を連続して加熱する時、前記第１の通電発熱抵抗層に対する前記第２の通電発熱抵抗層の通電比率が徐々に下がるように設定されていることを特徴とする像加熱装置。
【手続補正４】
【補正対象書類名】明細書
【補正対象項目名】００２３
【補正方法】変更
【補正の内容】
【００２３】
（２）前記装置は更に、記録材の種類に応じて前記通電比率が設定されていることを特徴とする（１）に記載の像加熱装置。
【手続補正５】
【補正対象書類名】明細書
【補正対象項目名】００２４
【補正方法】変更
【補正の内容】
【００２４】
（３）前記装置は更に、記録材のサイズに応じて前記通電比率が設定されていることを特徴とする（１）に記載の像加熱装置。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００６２
【補正方法】変更
【補正の内容】
【００６２】
このトナー像が転写された記録材Ｐは加熱定着装置６へと搬送され、定着される。
【手続補正３８】
【補正対象書類名】明細書
【補正対象項目名】００７９
【補正方法】変更
【補正の内容】
【００７９】
本実施例の加熱用ヒータ１１は裏面加熱型の構造である。すなわち、１１ａはアルミナ・ＡｌＮ（窒化アルミ）等のセラミック材料より形成される高熱伝導性基板であり、加圧ローラ２０との間で形成される定着ニップ部Ｎの幅より幅が広く形成してある。基板１１ａは記録材搬送方向に対して直交する方向に細長い。
【手続補正３９】
【補正対象書類名】明細書
【補正対象項目名】００８０
【補正方法】変更
【補正の内容】
【００８０】
また、高熱伝導基板１１ａの定着ニップ部Ｎと反対側に、長手方向に沿って、例えばＡｇ／Ｐｄ（銀パラジウム）、Ｎｉ／Ｃｒ、ＲｕＯ２、Ｔａ２Ｎ、ＴａＳｉＯ２等の導電剤とガラス、ポリイミド等のマトリックス成分からなる少なくとも２系列の通電発熱抵抗層（第１の通電発熱抵抗層）１１ｂおよび通電発熱抵抗層（第２の通電発熱抵抗層）１１ｃをスクリーン印刷、蒸着、スパッタリング、メッキ、金属箔等により、厚み１０μｍ程度、幅１〜５ｍｍ程度の線状もしくは細帯状で弓状に塗工して形成する。
【手続補正４０】
【補正対象書類名】明細書
【補正対象項目名】０１２５
【補正方法】変更
【補正の内容】
【０１２５】
本実施例では記録材Ｐの種類に応じて、加熱用ヒータ１１の第１と第２の通電発熱抵抗層１１ｂ・１１ｃへの通電比率を変動し、各記録材の条件に合わせて最適な通電比率とすることで、初期の端部定着性能を確保した上で、連続加熱定着時の非搬送部での異常昇温を抑える。即ち、記録材のサイズに応じて通電比率が設定されている。